(57)【要約】【課題】レバーの剛性を確保しつつレバーを小型化する。【解決手段】本発明は、レバー４０を回動操作することによって基板用コネクタ５０との嵌合および離脱を行うようにしたコネクタ１０であって、平板状をなすカム板４１を有し、このカム板４１に板厚方向と直交しかつ平面状をなす一対の板面が設けられたレバー４０と、初期位置に組み付けられたレバー４０を嵌合位置に向けて回動可能に支持し、嵌合位置にレバー４０を保持するロック片１５が設けられた雌側ハウジング１１とを備え、ロック片１５は、カム板４１の板厚方向に弾性変形可能なアーム１５Ａを有し、このアーム１５Ａにハウジング側突起１５Ｂが設けられている一方、レバー４０は、ハウジング側突起１５Ｂに係止可能なレバー側突起４７が設けられたレバーロック部４２を備えた構成としたところに特徴を有する。【選択図】図６
2012146445.tif 000002
【特許請求の範囲】
【請求項１】
レバーを回動操作することによって相手側コネクタとの嵌合および離脱を行うようにしたレバー付きコネクタであって、
平板状をなすカム板を有し、このカム板に板厚方向と直交しかつ平面状をなす一対の板面が設けられたレバーと、
初期位置に組み付けられた前記レバーを嵌合位置に向けて回動可能に支持し、前記嵌合位置に前記レバーを保持するロック片が設けられたハウジングとを備え、
前記ロック片は、前記カム板の板厚方向に弾性変形可能なアームを有し、このアームにハウジング側突起が設けられている一方、
前記レバーは、前記ハウジング側突起に係止可能なレバー側突起が設けられたレバーロック部を備えたことを特徴とするレバー付きコネクタ。
【請求項２】
前記ロック片には、前記嵌合位置にて前記ハウジング側突起と前記レバー側突起の係止状態を解除させるように前記アームを撓み変形させる解除操作部が形成されており、前記レバーロック部は、前記嵌合位置にて前記解除操作部を外部に臨ませつつ前記ハウジング側突起を覆うアーチ部を備えていることを特徴とする請求項１に記載のレバー付きコネクタ。
【請求項３】
前記ハウジングには、前記レバーを内部に収容するレバー収容部が設けられており、このレバー収容部は、後方に開口する開口部を有し、同開口部から前記ロック片が後方に張り出す形態で設けられていることを特徴とする請求項１または請求項２に記載のレバー付きコネクタ。
【請求項４】
前記ロック片は、前記アームが前記カム板の板面に沿って後方に張り出す形態をなすことにより、前記初期位置にて、あるいは前記レバーを前記初期位置から前記嵌合位置へ回動させる途中に前記アームと前記カム板の板面との間に電線が入り込んでアームが反転することを規制することを特徴とする請求項３に記載のレバー付きコネクタ。
【請求項５】
前記アーチ部の後端部に、前記嵌合位置にて前記解除操作部を外部に臨ませる解除凹部が設けられていることを特徴とする請求項２ないし請求項４のいずれか一項に記載のレバー付きコネクタ。
【請求項６】
前記レバー収容部の開口部に、前記嵌合位置にて前記レバーロック部の一部が嵌り込む装着凹部が設けられていることを特徴とする請求項３ないし請求項５のいずれか一項に記載のレバー付きコネクタ。
【請求項７】
前記レバー収容部は、前記ハウジングの全幅に亘って設けられていることを特徴とする請求項１ないし請求項６のいずれか一項に記載のレバー付きコネクタ。
【発明の詳細な説明】
【技術分野】
【０００１】
本発明は、レバーを回動操作することによって相手側コネクタとの嵌合および離脱を行うようにしたレバー付きコネクタに関する。
【背景技術】
【０００２】
この種のレバー付きコネクタとして、例えば下記特許文献１に記載のものが知られている。このレバー付きコネクタは、ハウジングと、初期位置と嵌合位置との間を回動可能にハウジングに組み付けられたレバーとを備えている。このレバーは平板状をなすレバー本体を有している。レバー本体の板面には、ロック片が設けられており、レバーの回動操作に伴ってロック片がレバーの板厚方向に撓み変形し、このロック片に設けられた係止部が板厚の範囲内に収容されるようになっている。一方、相手側コネクタには、係止部に係止可能な爪部が設けられており、この爪部に係止部を係止させることにより、レバーが嵌合位置に保持されて初期位置への回動が規制されるようになっている。
【先行技術文献】
【特許文献】
【０００３】
【特許文献１】特開２００８−７１５２７号公報
【発明の概要】
【発明が解決しようとする課題】
【０００４】
しかしながら、ロック片は、所定の長さを有するアームの先端部に係止部が設けられた構成とされているため、レバー本体の回動中心から係止部までの長さ（係止部の回転半径）を比較的長めに形成する必要がある。何故ならば、係止部の回転半径を短くすると、アーム形成に許容されるスペースが小さくなるため、アームが小さくなり、さらにアーム形成に必要なスリット部のためにレバー本体の剛性が弱くなるからである。したがって、アームの先端部に係止部が設けられたロック片においては、係止部の回転半径をある程度長く確保する必要があり、この結果、レバー本体が板面方向に大型化する要因となっている。
【０００５】
本発明は上記のような事情に基づいて完成されたものであって、レバーの剛性を確保しつつレバーを小型化することを目的とする。
【課題を解決するための手段】
【０００６】
本発明は、レバーを回動操作することによって相手側コネクタとの嵌合および離脱を行うようにしたレバー付きコネクタであって、平板状をなすカム板を有し、このカム板に板厚方向と直交しかつ平面状をなす一対の板面が設けられたレバーと、初期位置に組み付けられたレバーを嵌合位置に向けて回動可能に支持し、嵌合位置にレバーを保持するロック片が設けられたハウジングとを備え、ロック片は、カム板の板厚方向に弾性変形可能なアームを有し、このアームにハウジング側突起が設けられている一方、レバーは、ハウジング側突起に係止可能なレバー側突起が設けられたレバーロック部を備えた構成としたところに特徴を有する。
【０００７】
このような構成によると、アームを有するロック片をレバー側ではなく、ハウジング側に設けているため、レバーの剛性を確保できる。何故ならば、ハウジングからアームを突出させて形成すれば、ハウジングにスリットを形成する必要がないからである。また、アームを回動させる必要がないため、レバーを小型化した場合であってもレバー側突起をハウジング側突起に垂直姿勢で乗り上げさせることが可能になる。この理由は、一般にレバー側突起の長さがアームの長さよりも短く、レバー側突起の回転半径を短くした場合であってもレバー側突起がハウジング側突起に対して垂直姿勢を採りやすいからである。したがって、レバーの剛性を確保しつつレバーを小型化することができる。
【０００８】
本発明の実施の態様として、以下の構成が好ましい。
ロック片には、嵌合位置にてハウジング側突起とレバー側突起の係止状態を解除させるようにアームを撓み変形させる解除操作部が形成されており、レバーロック部は、嵌合位置にて解除操作部を外部に臨ませつつハウジング側突起を覆うアーチ部を備えている構成としてもよい。
このような構成によると、嵌合位置にてハウジング側突起とレバー側突起の係止部分をアーチ部によって保護することができる。また、解除操作部がアーチ部から外部に臨んでいるため、アーチ部が邪魔になって解除操作がしづらくなることはない。
【０００９】
ハウジングには、レバーを内部に収容するレバー収容部が設けられており、このレバー収容部は、後方に開口する開口部を有し、同開口部からロック片が後方に張り出す形態で設けられている構成としてもよい。
このような構成によると、ロック片をレバー収容部の外部に配置できるため、レバー収容部を小型化することができ、ハウジングを小型化することができる。
【００１０】
ロック片は、アームがカム板の板面に沿って後方に張り出す形態をなすことにより、初期位置にて、あるいはレバーを初期位置から嵌合位置へ回動させる途中にアームとカム板の板面との間に電線が入り込んでアームが反転することを規制する構成としてもよい。
このような構成によると、アームとカム板の板面との間に電線が入り込むことでロック片が反転して撓み変形することを規制できる。
【００１１】
アーチ部の後端部に、嵌合位置にて解除操作部を外部に臨ませる解除凹部が設けられている構成としてもよい。
このような構成によると、解除操作部が解除凹部を通して外部に臨んでいるため、アーチ部の後方に解除操作部を突出して配置しなくてもよく、解除操作部を含めたアーム全体の前後方向の寸法を小型化できる。
【００１２】
レバー収容部の開口部に、嵌合位置にてレバーロック部の一部が嵌り込む装着凹部が設けられている構成としてもよい。
このような構成によると、装着凹部にレバーロック部の一部が嵌り込むようにできるため、レバーロック部がレバー収容部の開口部から後方に張り出す量を小さくできる。
【００１３】
レバー収容部は、ハウジングの全幅に亘って設けられている構成としてもよい。
このような構成によると、ハウジングの幅方向においてレバーが収容されないデッドスペースが形成されないため、ハウジングの小型化に寄与しうる。
【発明の効果】
【００１４】
本発明によれば、レバーの剛性を確保しつつレバーを小型化することができる。
【図面の簡単な説明】
【００１５】
【図１】実施形態におけるコネクタであって、レバーが初期位置に保持された状態を示す斜視図
【図２】レバーが嵌合位置に保持されて嵌合が完了した状態を示すコネクタの平面図
【図３】レバーが嵌合位置に保持されて嵌合が完了した状態を示すコネクタの正面図
【図４】図３におけるＡ−Ａ線断面図
【図５】レバーが初期位置に保持された状態のコネクタの側面図
【図６】レバーが初期位置に保持された状態のコネクタの平面図
【図７】ハウジングの平面図
【図８】基板用コネクタの断面図
【発明を実施するための形態】
【００１６】
＜実施形態＞
本発明の実施形態を図１ないし図８の図面を参照しながら説明する。本実施形態におけるコネクタ１０は、レバー４０を回動操作することによって基板用コネクタ（本発明の「相手側コネクタ」の一例）５０との嵌合および離脱を行うようにしたレバー付きコネクタであって、基板用コネクタ５０とともに自動車のエアバッグ回路を構成するものである。以下、各構成部材において、両コネクタ１０，５０における嵌合面側を前方、その反対側を後方とし、また、図１の上側を上方、下側を下方として説明する。
【００１７】
基板用コネクタ５０は、いわゆる雄型のコネクタであって、合成樹脂製のハウジング（雄側ハウジング５１と称する）と、雄側ハウジング５１に装着される複数本の端子金具（雄側端子金具５２と称する）とを備えている（図８参照）。
【００１８】
雄側ハウジング５１は、前方に開口したフード部５３を備え、このフード部５３内にコネクタ１０が嵌合される。雄側ハウジング５１には、Ｌ字形に屈曲された複数の雄側端子金具５２が、その先端部をフード部５３内に突出させた状態で取り付けられている。
【００１９】
また、雄側ハウジング５１には、両コネクタ１０，５０を嵌合する過程で、後述する雌側端子金具の短絡状態を解除する短絡解除部５４が、フード部５３内に突出して設けられている。短絡解除部５４は、雌側ハウジング１１のショート端子収容室１３に対応する位置に設けられている。
【００２０】
フード部５３の上壁には、円柱状をなすカムピン５５が下方に向かって（フード部５３の内部空間に向かって）突出して形成されている。カムピン５５は、フード部５３の前後方向中央よりも前端寄りの位置に設けられている。
【００２１】
コネクタ１０は、いわゆる雌型のコネクタであって、合成樹脂製のハウジング（雌側ハウジング１１と称する）と、複数の端子金具とを備えている。
【００２２】
端子金具には、図４に示すように、雄側端子金具５２と接続可能な雌側端子金具（図示せず）と、隣り合う一対の雌側端子金具を短絡させるショート端子３０とが含まれている。雌側端子金具は、略筒状をなして雄側端子金具５２と接続する本体部と、電線の端末に接続されるバレル部とが互いに連結されて長く延びる形態とされている。
【００２３】
ショート端子３０は、導電率の良好な金属板を所定の形状に打ち抜いて曲げ加工することで形成され、ベース部３１と、このベース部３１の後端から下方に向かいつつ折り返されて前方へ延出する一対の弾性接触片３２とを備えている。ショート端子３０は、雌側端子金具に比して長手方向の寸法が格段に小さく（半分程度）、その全長は、雌側端子金具の本体部と同等もしくは若干小さい寸法とされている。
【００２４】
ベース部３１には、後述する係合部１６に係止する金属ランス３３が切り起こして形成されている。金属ランス３３は、後方に向かって上方に向かう片持ち状をなし、係合部１６に対して前方から係止する。
【００２５】
一対の弾性接触片３２は、隣り合う一対の雌側端子金具の配置に対応する間隔を空けて配設されている。弾性接触片３２は、折り返し端部を基端として、その前方部分が上下方向に弾性変形可能とされている。各弾性接触片３２のうち前端寄りの部分は、下方に突出する山形状に屈曲され、その頂点部が雌側端子金具に接触する接点部とされている。この接点部は、両コネクタ１０，５０の嵌合前においては、雌型端子金具の本体部に弾性的に接触して隣り合う両雌側端子金具を短絡させ、両コネクタ１０，５０が正規の嵌合状態に至ると、雄側ハウジング５１の短絡解除部５４により上方に変位して雌側端子金具と非接触状態となることで隣り合う両雌側端子金具を電気的に開放させる。
【００２６】
雌側ハウジング１１は、基板用コネクタ５０のフード部５３内に嵌合可能な略方形のブロック状をなし、その内部には、図３に示すように、後方から端子金具を挿入可能な端子収容室１２，１３が複数室、上下方向および幅方向に並んで設けられている。なお、雌側ハウジング１１の外壁のうち上側に配される部分を上壁１１Ａ、下側に配される部分を下壁１１Ｂ、幅方向両側に配される部分を側壁１１Ｃ、前側に配される部分を前壁１１Ｄと称する。
【００２７】
雌側ハウジング１１の上壁１１Ａの後端部は、他の部分よりも厚肉に形成されて上方に突出する段部１４とされている（図１参照）。段部１４には、後述するレバー４０を嵌合完了状態にロックするためのロック片１５が設けられている。ロック片１５は、段部１４の幅方向の一端に配設されている。このロック片１５は、図４に示すように、段部１４の一部を切り欠くことで後方に向かって張り出す形態をなすアーム１５Ａと、このアーム１５Ａの上面から上方に突出して設けられたハウジング側突起１５Ｂと、アーム１５Ａの後端から後方に張り出す形態をなす解除操作部１５Ｃとからなる。
【００２８】
アーム１５Ａは、上下方向（レバー４０の板厚方向）に弾性変形可能とされている。このため、ハウジング側突起１５Ｂは、アーム１５Ａの弾性変形に伴って上下方向に変位可能とされている。ハウジング側突起１５Ｂは、後述するレバー４０に設けられたレバー側突起４７と前後方向に係止してレバー４０を嵌合位置に保持するようになっている。また、アーム１５Ａの下面は、後述するレバー４０のカム板４１の板面に接触可能な程度に近接して配置されている。このため、初期位置にて、あるいはレバー４０を初期位置から嵌合位置へ回動させる途中にアーム１５Ａとカム板４１との間に電線が入り込んでアーム１５Ａが上方に反転することが規制されている。
【００２９】
端子収容室１２，１３は、雌側端子金具を収容する雌端子収容室１２と、ショート端子３０を収容するショート端子収容室１３とから構成されている。
【００３０】
図３に示すように、幅方向に隣り合う両ショート端子収容室１３は、互いの高さ位置が異なるように配設され、そのように配設された両ショート端子収容室１３の間のスペースを埋めるように、幅方向に隣り合う両雌端子収容室１２が配設されている。
【００３１】
ショート端子収容室１３は、幅方向に隣り合う両雌端子収容室１２に跨る間口を有し、かつ、両雌端子収容室１２に連通して形成されている。各ショート端子収容室１３には、ショート端子３０の金属ランス３３が係止可能な係合部１６が設けられ、係合部１６は、ショート端子収容室１３の内壁上面から下方へ突出している（図４参照）。ショート端子収容室１３にショート端子３０が収容された状態では、一対の弾性接触片３２がそれぞれ雌端子収容室１２内へ進入し、そこに挿入された雌側端子金具に弾性的に接触して隣り合う両雌側端子金具を短絡させる。ショート端子３０は、後述するレバー４０を雌側ハウジング１１に組み付ける前に、雌側ハウジング１１の後方からショート端子収容室１３に予め挿入される。
【００３２】
ショート端子収容室１３は、雌側ハウジング１１の前端部に設けられている。ショート端子収容室１３は、ショート端子３０を受け入れ可能な大きさとされ、その前後方向の寸法は、雌側ハウジング１１の前後方向の寸法の半分よりも若干短めとされている。
【００３３】
雌端子収容室１２の下面側には、雌側端子金具に一次係止する樹脂ランス（図示せず）が設けられている。一方、雌側ハウジング１１の下壁１１Ｂには、リテーナ６０が装着されるリテーナ装着部１７が下方に開口して設けられている。リテーナ装着部１７に装着されたリテーナ６０は、雌側端子金具に二次係止する。これにより、雌側端子金具は、樹脂ランスおよびリテーナ６０によって二重に係止されて抜け止めされる。
【００３４】
雌側ハウジング１１には、図４に示すように、レバー４０を内部に収容するレバー収容部１９が設けられている。レバー収容部１９は、後方に開口する開口部を有し、この開口部を通して雌側ハウジング１１の後方からレバー収容部１９の内部にレバー４０が組み付けられるようになっている。また、レバー収容部１９は、雌側ハウジング１１の全幅に亘って設けられている。
【００３５】
レバー収容部１９は、最上段に位置するショート端子収容室１３と連通してその後方に並んで設けられている。一方、最上段に位置するショート端子収容室１３は、雌側ハウジング１１の幅方向の両端（前端の両角部）に配置されている。すなわち、レバー収容部１９は、最上段に位置する両ショート端子収容室１３と同じ高さ位置に設けられている。
【００３６】
レバー収容部１９は、雌側ハウジング１１の上壁１１Ａと、両側壁１１Ｃと、前壁１１Ｄと、底壁１９Ａとによって構成されている。また、レバー収容部１９の開口部のうち上部は、段部１４によって構成されている。なお、底壁１９Ａは、レバー収容部１９の下面側を構成しており、その上面は、平坦な面とされている。
【００３７】
段部１４は、図７に示すように、幅方向における一端側が前方に切り欠かれた形態をなし、その切り欠かれた部分１４Ａから後方に張り出す形態でロック片１５が設けられている。また、レバー収容部１９の開口部には、前記した切り欠かれた部分１４Ａが形成されることで、後述する操作部４６が装着される装着凹部２０が設けられている。
【００３８】
雌側ハウジング１１の上壁１１Ａには、雄側ハウジング５１のカムピン５５を受け入れる受入路２１が形成されている。受入路２１は、前壁１１Ｄから上壁１１Ａにかけての領域を前後方向に切り欠くことで前方および上方に開口している。受入路２１の後端は、雌側ハウジング１１の前後方向の中央よりも後端寄りの位置（段部１４のすぐ手前の位置）に至っている。また、受入路２１は、雌側ハウジング１１の幅方向においてその中央から一方側に偏心した位置に設けられている。
【００３９】
レバー収容部１９の底壁１９Ａには、図６に示すように、レバー４０を初期位置に保持するための係止片２２が設けられている。係止片２２は、前方へ向かって延びる片持ち状をなし、その自由端部には上方へ突出する係止突起２２Ａが設けられている。係止片２２は、雌側ハウジング１１の前後方向の略中央位置（リテーナ装着部１７の上側）に形成され、底壁１９Ａにおける受入路２１の真下に位置している。
【００４０】
レバー４０は回動式のレバーであって、合成樹脂製で平板状をなすカム板４１を備えている。カム板４１は、その板厚方向と直交しかつ平面状をなす一対の板面を有している。カム板４１の板厚寸法は、ショート端子３０の厚さ寸法、詳しくは、ショート端子３０のうちベース部３１と弾性接触片３２との平行部分（接点部３４を除く部分）の上下方向の寸法と同等とされている（図４参照）。
【００４１】
レバー４０は、レバー収容部１９の底壁１９Ａの上面に沿って配されるとともに、上壁１１Ａと底壁１９Ａとの間に僅かなクリアランスをもって挟まれた状態でレバー収容部１９に組み付けられる。また、レバー４０は、ショート端子３０よりも後方にずれて配され、後述する操作部４６の後半分が雌側ハウジング１１から後方に突出した状態となる。
【００４２】
なお、レバー収容部１９の底壁１９Ａには、レバー４０を回動可能に支持する支持軸（図示せず）が上方に突出して設けられており、この支持軸は、雌側ハウジング１１の幅方向の略中央で、係止片２２よりも後方に配置されている。一方、カム板４１の下面の略中央には、支持軸が嵌合する略円形の軸受孔（図示せず）が設けられ、カム板４１の端縁から軸受孔に至るまでの部分には、支持軸の進入を許容する組付溝（図示せず）が凹設されている。
【００４３】
カム板４１の上面には、基板用コネクタ５０のカムピン５５が係合するカム溝４４が形成されている。カム溝４４は、カム板４１の端縁から軸受孔（図示せず）に延びる凹部であり、レバー４０が図６に示す初期位置にあるときには、カム溝４４の入口４４Ａが、雌側ハウジング１１の受入路２１の下方に位置し、カム溝４４へのカムピン５５の受け入れが可能となる。
【００４４】
カム溝４４の入口４４Ａ側には、レバー４０が初期位置にあるときに、雌側ハウジング１１の係止突起２２Ａが係止する係止孔４５が設けられている。この係止孔４５は、長方形状をなし、カム溝４４の底壁を上下方向に貫通している。係止孔４５に係止突起２２Ａが係止することで、レバー４０は、初期位置から図２に示す嵌合位置側（図示時計回り方向）へ回動することが規制され、初期位置に保持される。
【００４５】
さて、レバー４０の端縁には、図１に示すように、カム板４１との間にロック片１５を挿入可能な間口を有し、このロック片１５と係止可能なレバーロック部４２が設けられている。このレバーロック部４２は、カム板４１から上方に突出して略門形をなすアーチ部４３と、レバー４０を回動する際に指を当てて操作する操作部４６とを備えている。この操作部４６は、アーチ部４３の側縁から側方に張り出す形態で設けられている。
【００４６】
アーチ部４３の下面は、嵌合位置にてロック片１５のアーム１５Ａと対向する対向部とされている。このアーチ部４３の下面には、図４に示すように、レバー側突起４７が設けられている。レバー側突起４７は、アーチ部４３の下面から下方に突出して形成されている。レバー４０の回動操作が完了したときには、アーチ部４３がロック片１５の上方に位置し、レバー側突起４７がハウジング側突起１５Ｂと前後方向に係止することで、レバー４０が嵌合位置に保持されて初期位置への回動が規制される。なお、カム板４１のうちアーチ部４３と対向する部分には、ロック片１５の弾性撓みを許容する撓み許容凹部４８が形成されている。
【００４７】
また、図２に示すように、アーチ部４３の上壁における後端部には、嵌合位置にて解除操作部１５Ｃを上方に臨ませる解除凹部４９が設けられている。この解除凹部４９から指を入れて解除操作部１５Ｃを下方に押し込むことにより、ハウジング側突起１５Ｂを下方に変位させてレバー側突起４７との係止状態を解除させることができる。解除操作部１５Ｃの上面は、解除凹部４９を通してアーチ部４３の上方に臨んでいるものの、解除操作部１５Ｃの後端は、アーチ部４３の両側壁から後方に突出しないようになっている。言い換えると、アーチ部４３は、嵌合位置にてロック片１５を外部の衝撃から保護しつつ解除操作部１５Ｃを外部に臨ませてハウジング側突起１５Ｂを覆うように構成されている。
【００４８】
本実施形態は以上のような構成であって、続いてその作用を説明する。まず、レバー４０の組み付け方法を説明する。レバー４０は、レバー収容部１９に対して後方から押し込まれて収容される。詳しくは、レバー４０を水平にして、支持軸に組付溝を整合させつつ、カム板４１をレバー収容部１９内へ挿入し、支持軸と軸受孔とを嵌合させる。そして、レバー４０を初期位置まで回動させて係止突起２２Ａと係止孔４５とを嵌合させる。これにより、レバー４０の嵌合位置側への回動が規制された状態となり、レバー４０の雌側ハウジング１１への組み付けが完了する。レバー４０が初期位置にあるときには、アーム１５Ａとカム板４１との間に電線が入り込んでアーム１５Ａが上方に反転することが規制されている。
【００４９】
次に、両コネクタ１０，５０の嵌合動作について説明する。
まず、コネクタ１０を基板用コネクタ５０のフード部５３内に浅く嵌合させる。すると、カムピン５５がカム溝４４の入口４４Ａに進入して係止突起２２Ａを下方へ押し、係止孔４５との係止を解除する。これにより、初期位置にあるレバー４０の回動操作が許容された状態になる。ここで、カムピン５５は、従来よりも前側の位置に設けられているので、カム溝４４の入口４４Ａが従来よりも後側に位置していても、同等の嵌合量でカムピン５５をカム溝４４に嵌合させることができる。
【００５０】
次いで、レバー４０の操作部４６を押圧してレバー４０を嵌合位置側へ回動させると、カムピン５５とカム溝４４との係合によるカム作用によって両コネクタ１０，５０が互いに引き寄せられ、フード部５３に対する雌側ハウジング１１の嵌合が進む。
【００５１】
この嵌合過程では、各短絡解除部５４が各ショート端子収容室１３内に進入し、各ショート端子３０の弾性接触片３２に当接してこれを上方へ弾性変形させる。これにより、弾性接触片３２が雌側端子金具から離間し、雌側端子金具間の短絡状態が解除される。
【００５２】
また、レバー４０が嵌合位置に接近する（すなわち両コネクタ１０，５０が正規の嵌合状態に近づく）と、アーチ部４３がロック片１５に対して斜め姿勢から垂直姿勢に近づき、レバー側突起４７がハウジング側突起１５Ｂに当接して乗り上げを開始する際には垂直姿勢となって乗り上げを開始する。そして、レバー側突起４７が垂直姿勢でハウジング側突起１５Ｂに乗り上げると、ロック片１５が下方に撓み変形する。
【００５３】
そして、レバー４０が嵌合位置に至ると同時に、ロック片１５が弾性復帰し、レバー側突起４７が垂直姿勢のままハウジング側突起１５Ｂに対して前後方向に係止して、レバー４０が嵌合位置に保持された状態になり、初期位置への回動が規制される。こうして、両コネクタ１０，５０が正規の嵌合状態に保持される。
【００５４】
なお、両コネクタ１０，５０を離脱させる場合には、解除凹部４９を通して解除操作部１５Ｃを下方に押圧し、レバー側突起４７とハウジング側突起１５Ｂとの係止状態を解除する。続けて、操作部４６を引いて、レバー４０を嵌合動作時とは逆方向へ回動させる。すると、レバー４０が嵌合位置から初期位置へ回動し、この回動に伴ってカムピン５５がカム溝４４を入口４４Ａ側へ移動し、両コネクタ１０，５０が離間されていく。そして、レバー４０が初期位置に至ると、カムピン５５がカム溝４４から外れ、両コネクタ１０，５０が離脱される。
【００５５】
以上のように本実施形態では、アーム１５Ａを有するロック片１５を雌側ハウジング１１側に設けたから、レバー４０を小型化することができる。すなわち、アームをレバー４０側に設けた場合、垂直姿勢のままレバー側突起とハウジング側突起との乗り上げから係止に至るまで行うには、レバー４０の回動中心からレバー側突起までを長くする必要があったところ、アームよりも短いレバー側突起４７のみをレバー４０側に設けたから、レバー４０の回動中心からレバー側突起４７までを短くできる。したがって、レバー４０を小型化でき、このレバー４０を内部に収容するレバー収容部１９も小型化できるから、雌側ハウジング１１を小型化できる。
【００５６】
また、アーチ部４３を設けてロック片１５を保護しているため、外部からの衝撃によってロック片１５が破損することを規制できる。さらに、アーチ部４３に解除凹部４９を設けているから、アーチ部４３を設けたことでかえって解除操作がしづらくなるおそれはない。また、レバー収容部１９の外部にロック片１５を設けたから、レバー収容部１９を大型化するおそれもない。
【００５７】
また、ロック片１５のアーム１５Ａをカム板４１の板面に沿って後方に張り出す形態で設けたから、初期位置にてアーム１５Ａとカム板４１の板面との間に電線が噛み込むことでアーム１５Ａが反転することを規制できる。さらに、レバーロック部４２の一部が装着凹部２０に嵌り込むようにしたから、レバーロック部４２がレバー収容部１９の後方に張り出す量を小さくすることができる。これらに加えて、レバー収容部１９を雌側ハウジング１１の全幅に亘って設けたから、雌側ハウジング１１の幅方向にデッドスペースが形成されることはなく、雌側ハウジング１１の小型化に寄与しうる。
【００５８】
＜他の実施形態＞
本発明は上記記述及び図面によって説明した実施形態に限定されるものではなく、例えば次のような実施形態も本発明の技術的範囲に含まれる。
（１）上記実施形態ではアーム１５Ａがカム板４１に接近する側に撓み変形するものを例示しているものの、本発明によると、アーム１５Ａがカム板４１から遠ざかる側に撓み変形するものとしてもよい。すなわち、アーチ部４３の下面にレバー側突起４７を設けるのではなく、カム板４１の上面にレバー側突起を設けてもよい。
【００５９】
（２）上記実施形態ではレバーロック部４２がアーチ部４３を備えているものを例示しているものの、本発明によると、レバーロック部がアーチ部を備えていないものでもよい。
【００６０】
（３）上記実施形態ではロック片１５がレバー収容部１９の開口部から後方に張り出す形態で設けられているものの、本発明によると、ロック片がレバー収容部の内部に設けられていてもよい。このようにすれば、アームとカム板の板面との間に電線が入り込んでアームが反転することがなく、カム板の板面に沿ってアームを配設しなくてもよい。
【００６１】
（４）上記実施形態ではアーチ部４３に解除凹部４９を設けているものの、本発明によると、解除操作部をアーチ部の後方に張り出す形態で設けてもよい。
【００６２】
（５）上記実施形態ではレバー収容部１９の開口部に装着凹部２０を設けているものの、本発明によると、レバーロック部がレバー収容部の内部に収容されるようにしてもよい。
【００６３】
（６）上記実施形態ではレバー収容部１９が雌側ハウジング１１の全幅に亘って設けられているものの、本発明によると、受入路を雌側ハウジング１１の幅方向中央に配置することで、レバー収容部が雌側ハウジング１１の幅方向に関してその中央から一方側に偏心した配置としてもよい。
【符号の説明】
【００６４】
１０…コネクタ
１１…雌側ハウジング
１５…ロック片
１５Ａ…アーム
１５Ｂ…ハウジング側突起
１５Ｃ…解除操作部
１９…レバー収容部
２０…装着凹部
４０…レバー
４１…カム板
４２…レバーロック部
４３…アーチ部
４７…レバー側突起
４９…解除凹部
５０…基板用コネクタ（相手側コネクタ）
【図１】
2012146445.tif 000003
【図２】
2012146445.tif 000004
【図３】
2012146445.tif 000005
【図４】
2012146445.tif 000006
【図５】
2012146445.tif 000007
【図６】
2012146445.tif 000008
【図７】
2012146445.tif 000009
【図８】
2012146445.tif 000010